(57)【特許請求の範囲】
【請求項１】
インスタントメッセージングサービスを提供するための移動端末の動作方法において、
複数の動的エモーティコン及び前記複数の動的エモーティコンのサムネイルイメージを格納するステップと、
チャットメッセージを含むチャットウィンドウ及びメッセージ入力ウィンドウを表示するステップと、
ユーザのタッチジェスチャに応答して、仮想キーボードを表示するか、または、前記サムネイルイメージを含むエモーティコン選択ウィンドウを表示するステップと、
前記エモーティコン選択ウィンドウが表示された場合、前記サムネイルイメージのうち前記ユーザによって選択されたサムネイルイメージを識別するステップと、
前記チャットウィンドウ上であって前記メッセージ入力ウィンドウと区別される領域に、前記選択されたサムネイルイメージの動的エモーティコンを見せるためのプレビューウィンドウをオーバーレイするステップと、
を含むことを特徴とする移動端末の動作方法。
【請求項２】
前記選択されたサムネイルイメージの動的エモーティコンを見せるためのプレビューウィンドウをオーバーレイするステップは、前記メッセージ入力ウィンドウの上段にプレビューウィンドウをオーバーレイするステップであることを特徴とする請求項１に記載の移動端末の動作方法。
【請求項３】
前記プレビューウィンドウで前記選択されたサムネイルイメージに対応する動的エモーティコンを再生するステップをさらに含むことを特徴とする請求項１に記載の移動端末の動作方法。
【請求項４】
前記プレビューウィンドウは、半透明な色のバックグラウンド領域を含み、
前記バックグラウンド領域を介して前記チャットウィンドウの一部が透過されることを特徴とする請求項１に記載の移動端末の動作方法。
【請求項５】
前記チャットメッセージを含むチャットウィンドウ及びメッセージ入力ウィンドウを表示するステップは、前記チャットウィンドウ上の下段に前記メッセージ入力ウィンドウをオーバーレイし、
前記ユーザのタッチジェスチャに応答して、仮想キーボードを表示するか、または前記サムネイルイメージを含むエモーティコン選択ウィンドウを表示するステップは、前記メッセージ入力ウィンドウでキーボード入力に関連するユーザのタッチジェスチャが発生した場合に、前記メッセージ入力ウィンドウの位置を前記チャットウィンドウの中段に移動させ、前記メッセージ入力ウィンドウの下段の前記チャットウィンドウ上に前記仮想キーボードをオーバーレイすることを特徴とする請求項１に記載の移動端末の動作方法。
【請求項６】
前記ユーザのタッチジェスチャに応答して、仮想キーボードを表示するか、または、前記サムネイルイメージを含むエモーティコン選択ウィンドウを表示するステップは、前記メッセージ入力ウィンドウでエモーティコンの入力に関連するユーザのタッチジェスチャが発生した場合、前記メッセージ入力ウィンドウの位置を前記チャットウィンドウの中段に移動させるか、または中段に保持させ、前記メッセージ入力ウィンドウの下段の前記チャットウィンドウ上に前記エモーティコン選択ウィンドウをオーバーレイすることを特徴とする請求項１に記載の移動端末の動作方法。
【請求項７】
前記メッセージ入力ウィンドウは、前記メッセージ入力ウィンドウでキーボード入力に関連するユーザのタッチジェスチャが発生した場合、前記エモーティコンの入力を活性化するボタンを表示し、
前記メッセージ入力ウィンドウでエモーティコンの入力に関連するユーザのタッチジェスチャが発生した場合、前記キーボード入力を活性化するボタンを表示することを特徴とする請求項１に記載の移動端末の動作方法。
【請求項８】
前記複数の動的エモーティコン及び前記複数の動的エモーティコンのサムネイルイメージを格納するステップは、前記複数の動的エモーティコンの識別情報をさらに格納し、
前記メッセージ入力ウィンドウで送信に関連する前記ユーザのタッチジェスチャが識別される場合、前記プレビューウィンドウの動的エモーティコンに対応する識別情報の含まれたチャットメッセージを生成するステップをさらに含むことを特徴とする請求項１に記載の移動端末の動作方法。
【請求項９】
コンピュータに、請求項１〜請求項８のいずれか１項に記載の方法を実行させるプログラムを記録したコンピュータで読み出し可能な記録媒体。
【請求項１０】
インスタントメッセージングサービスを提供するための移動端末において、
複数の動的エモーティコン及び前記複数の動的エモーティコンのサムネイルイメージを格納するメモリと、
チャットメッセージを含むチャットウィンドウ及びメッセージ入力ウィンドウを表示するチャットウィンドウ処理部と、
ユーザのタッチジェスチャに応答して仮想キーボードを表示するか、または、前記サムネイルイメージを含むエモーティコン選択ウィンドウを表示する入力処理部と、
前記エモーティコン選択ウィンドウが表示された場合、前記サムネイルイメージのうち前記ユーザによって選択されたサムネイルイメージを識別し、前記チャットウィンドウ上であって前記メッセージ入力ウィンドウと区別される領域に、前記選択されたサムネイルイメージを含むプレビューウィンドウをオーバーレイする動的エモーティコン処理部と、
を備えることを特徴とする移動端末。
【請求項１１】
前記選択されたサムネイルイメージに対応する動的エモーティコンは、前記プレビューウィンドウで再生されることを特徴とする請求項１０に記載の移動端末。
【発明の詳細な説明】
【技術分野】
【０００１】
本発明はユーザにエモーティコンを提供し、そのエモーティコンの含まれたメッセージを作成できるようにする技術に関する。
【背景技術】
【０００２】
最近、移動端末の普及率が急速に増加するにつれて携帯端末は現代人の生活必需品となっている。このような移動端末は、固有の音声通話サービスだけではなく、各種のデータ送信サービスと様々な付加サービスも提供できるようになっており、機能上、マルチメディア通信機器に変わりつつある。
【０００３】
ユーザは、移動端末で提供するインスタントメッセージングサービスによって友だちとチャットを行うことができる。従来におけるインスタントメッセージングサービスは、ユーザに様々な形態のチャットメッセージを作成できる機能を提供する。特に、ユーザは、従来のインスタントメッセージングサービスが提供するメッセージ作成機能によって、テキスト、写真及び動画などの含まれたチャットメッセージを作成することができる。ユーザは自身のチャットメッセージに、自身の意思表現を直観的に表現するためのエモーティコンも挿入可能である。
【発明の概要】
【発明が解決しようとする課題】
【０００４】
本発明の目的は、移動端末の限定された大きさの画面内で、ユーザに動的エモーティコンのサムネイルイメージを見せるエモーティコン選択ウィンドウと、ユーザが選択するサムネイルイメージに対応する動的エモーティコンを再生するプレビューウィンドウとを、効率的な手続と画面構成で表示することのできる動的エモーティコンを用いるインスタントメッセージングサービスを提供する方法及びその方法が実行される移動端末を提供することにある。
【０００５】
また、本発明の目的は、ユーザがチャットメッセージにおいて作成しようとする動的エモーティコンをチャットウィンドウ上に半透明にオーバーレイされた領域に自動再生させることのできる動的エモーティコンを用いるインスタントメッセージングサービスを提供する方法及びその方法が実行される移動端末を提供することにある。
【０００６】
また、本発明の目的は、ユーザのメッセージ作成が効率的に行われるように、メッセージ入力ウィンドウの下段で、ユーザのタッチジェスチャに応答して仮想キーボードまたはエモーティコン選択ウィンドウを選択的にオーバーレイすることのできる動的エモーティコンを用いるインスタントメッセージングサービスを提供する方法及びその方法が実行される移動端末を提供することにある。
【課題を解決するための手段】
【０００７】
本発明の一実施形態に係るインスタントメッセージングサービスを提供するための移動端末の動作方法は、複数の動的エモーティコン及び前記複数の動的エモーティコンのサムネイルイメージを格納するステップと、チャットメッセージを含むチャットウィンドウ及びメッセージ入力ウィンドウを表示するステップと、ユーザのタッチジェスチャに応答して、仮想キーボードを表示するか、または、前記サムネイルイメージを含むエモーティコン選択ウィンドウを表示するステップと、前記エモーティコン選択ウィンドウが表示された場合、前記サムネイルイメージのうち前記ユーザによって選択されたサムネイルイメージを識別するステップと、前記チャットウィンドウ上に前記選択されたサムネイルイメージの動的エモーティコンを見せるためのプレビューウィンドウをオーバーレイするステップとを含む。
【０００８】
ここで、前記チャットウィンドウ上に前記選択されたサムネイルイメージの動的エモーティコンを見せるためのプレビューウィンドウをオーバーレイするステップは、前記メッセージ入力ウィンドウの上段にプレビューウィンドウをオーバーレイするステップであってもよい。
【０００９】
また、前記プレビューウィンドウで前記選択されたサムネイルイメージに対応する動的エモーティコンを再生するステップをさらに含んでもよい。
【００１０】
また、前記プレビューウィンドウは、半透明な色のバックグラウンド領域を含んでもよい。
【００１１】
また、前記バックグラウンド領域を介して前記チャットウィンドウの一部が透過されてもよい。
【００１２】
また、前記チャットメッセージを含むチャットウィンドウ及びメッセージ入力ウィンドウを表示するステップは、前記チャットウィンドウ上の下段に前記メッセージ入力ウィンドウをオーバーレイしてもよい。
【００１３】
また、前記ユーザのタッチジェスチャに応答して、仮想キーボードを表示するか、または前記サムネイルイメージを含むエモーティコン選択ウィンドウを表示するステップは、前記メッセージ入力ウィンドウでキーボード入力に関連するユーザのタッチジェスチャが発生した場合に、前記メッセージ入力ウィンドウの位置を前記チャットウィンドウの中段に移動させ、前記メッセージ入力ウィンドウの下段の前記チャットウィンドウ上に前記仮想キーボードをオーバーレイしてもよい。
【００１４】
また、前記ユーザのタッチジェスチャに応答して、仮想キーボードを表示するか、または、前記サムネイルイメージを含むエモーティコン選択ウィンドウを表示するステップは、前記メッセージ入力ウィンドウでエモーティコンの入力に関連するユーザのタッチジェスチャが発生した場合、前記メッセージ入力ウィンドウの位置を前記チャットウィンドウの中段に移動させるか、または中段に保持させ、前記メッセージ入力ウィンドウの下段の前記チャットウィンドウ上に前記エモーティコン選択ウィンドウをオーバーレイしてもよい。
【００１５】
また、前記メッセージ入力ウィンドウは、前記メッセージ入力ウィンドウでキーボード入力に関連するユーザのタッチジェスチャが発生した場合、前記エモーティコンの入力を活性化するボタンを表示し、前記メッセージ入力ウィンドウでエモーティコンの入力に関連するユーザのタッチジェスチャが発生した場合、前記キーボード入力を活性化するボタンを表示してもよい。
【００１６】
また、前記複数の動的エモーティコン及び前記複数の動的エモーティコンのサムネイルイメージを格納するステップは、前記複数の動的エモーティコンの識別情報をさらに格納し、前記メッセージ入力ウィンドウで送信に関連する前記ユーザのタッチジェスチャが識別される場合、前記プレビューウィンドウの動的エモーティコンに対応する識別情報の含まれたチャットメッセージを生成するステップをさらに含んでもよい。
【００１７】
本発明の他の実施形態に係るンスタントメッセージングサービスを提供するための移動端末は、複数の動的エモーティコン及び前記複数の動的エモーティコンのサムネイルイメージを格納するメモリと、チャットメッセージを含むチャットウィンドウ及びメッセージ入力ウィンドウを表示するチャットウィンドウ処理部と、ユーザのタッチジェスチャに応答して仮想キーボードを表示するか、または、前記サムネイルイメージを含むエモーティコン選択ウィンドウを表示する入力処理部と、前記エモーティコン選択ウィンドウが表示された場合、前記サムネイルイメージのうち前記ユーザによって選択されたサムネイルイメージを識別し、前記チャットウィンドウ上に前記選択されたサムネイルイメージを含むプレビューウィンドウをオーバーレイする動的エモーティコン処理部とを備える。
【００１８】
ここで、前記選択されたサムネイルイメージに対応する動的エモーティコンは、前記プレビューウィンドウで再生されてもよい。
【発明の効果】
【００１９】
本発明によると、ユーザは、移動端末の限定された画面内で効率的な画面構成によって複数の動的エモーティコンのサムネイルイメージを介して動的エモーティコンを容易に選択することができ、プレビューすることが可能である。
【００２０】
特に、ユーザは、自身が選択した動的エモーティコンをチャットウィンドウ上に半透明にオーバーレイされた領域で自動再生したものを見て、その動的エモーティコンの含まれたチャットメッセージを作成することができる。
【図面の簡単な説明】
【００２１】
【図１】本発明の一実施形態に係るインスタントメッセージングサービス提供方法を説明するための図である。
【図２】本発明の一実施形態に係るインスタントメッセージングサービス提供方法を実行できる移動端末の構成を示す図である。
【図３】図２に示す移動端末を提供する画面である。
【図４】図２に示す移動端末を提供する画面である。
【図５】図２に示す移動端末を提供する画面である。
【図６】図２に示す移動端末を提供する画面である。
【図７】本発明の他の実施形態に係るインスタントメッセージングサービス提供方法を実行する移動端末の動作方法を示す図である。
【発明を実施するための形態】
【００２２】
以下、本発明の実施形態を添付する図面を参照しながら詳細に説明する。
【００２３】
図１は、本発明の一実施形態に係るインスタントメッセージングサービス提供方法を説明するための図であり、図２は、前記のインスタントメッセージングサービス提供方法を実行できる移動端末の構成を示す図である。
【００２４】
図１を参照すると、インスタントメッセージングサービス提供方法は、ユーザのタッチジェスチャに基づいて、テキスト１０１、エモーティコン１０２、動画１０３、写真１０４及び動的エモーティコン１０５のうち少なくとも１つを含むチャットメッセージを作成する。
【００２５】
特に、動的エモーティコンの含まれたチャットメッセージには、複数の動的エモーティコンのうちユーザによって選択された動的エモーティコンが挿入される。
【００２６】
そのために、移動端末はユーザに動的エモーティコンのサムネイルイメージをリスト化して提供してから、そのリストからユーザによって選択されるサムネイルイメージの動的エモーティコンをチャットメッセージに挿入する。ここで、移動端末はチャットメッセージにその動的エモーティコンを直接挿入してもよく、実施形態によっては、その動的エモーティコンの識別情報を挿入してもよい。
【００２７】
移動端末は限定された画面の大きさを有するため、ユーザのタッチジェスチャに応じて動的エモーティコンの挿入されたチャットメッセージを作成する手続を効率的な画面構成によって行う必要がある。移動端末は、図２に示す構成を含んでもよい。
【００２８】
図２を参照すると、移動端末２００は、メモリ２０１、チャットウィンドウ処理部２０２、入力処理部２０３及び動的エモーティコン処理部２０４を備える。
【００２９】
メモリ２０１は、複数の動的エモーティコン及びその複数の動的エモーティコンのサムネイルイメージを格納する。
【００３０】
チャットウィンドウ処理部２０２は、チャットメッセージを含むチャットウィンドウ及びメッセージ入力ウィンドウを表示する。
【００３１】
入力処理部２０３は、ユーザのタッチジェスチャに応答して、仮想キーボードを表示するか、または、サムネイルイメージを含むエモーティコン選択ウィンドウを表示する。
【００３２】
動的エモーティコン処理部２０４は、そのエモーティコン選択ウィンドウが表示された場合、サムネイルイメージのうちユーザによって選択されたサムネイルイメージを識別し、メッセージ入力ウィンドウの上段のチャットウィンドウ上にそのサムネイルイメージの含まれたプレビューウィンドウをオーバーレイする。
【００３３】
特に、チャットウィンドウ処理部２０２は、チャットウィンドウの下段でチャットウィンドウ上にメッセージ入力ウィンドウをオーバーレイしてもよく、入力処理部２０３は、そのメッセージ入力ウィンドウで発生するユーザのタッチジェスチャに応答して、仮想キーボードを表示するか、または、サムネイルイメージの含まれたエモーティコン選択ウィンドウを表示してもよい。
【００３４】
チャットウィンドウ処理部２０２は、図３に示す画面を表示してもよい。
【００３５】
図３を参照すると、チャットウィンドウ処理部２０２は、まず、チャットウィンドウ３００を表示し、そのチャットウィンドウ３００の上の下段にメッセージ入力ウィンドウ３１０をオーバーレイしてもよい。ここで、メッセージ入力ウィンドウ３１０は、移動端末の内部コンテンツを挿入することのできるボタン３１１、キーボード入力を活性化するボタン３１２、メッセージを作成するためのメッセージボックス３１３及び送信ボタン３１４を含む。
【００３６】
メッセージ入力ウィンドウ３１０で、ユーザのタッチジェスチャがボタン３１１について発生した場合、入力処理部２０３は自身の内部コンテンツ（例えば、動画、写真及び位置情報など）を読み出してチャットメッセージ上で作成を行う。
【００３７】
メッセージ入力ウィンドウ３１０で、ユーザのタッチジェスチャがキーボード入力を活性化するボタン３１２について発生した場合、入力処理部２０３は仮想キーボードを表示する。
【００３８】
特に、入力処理部２０３は、メッセージ入力ウィンドウ３１０の位置をチャットウィンドウ３００の中段に移動させ、メッセージ入力ウィンドウ３１０の下側でチャットウィンドウ３００上に仮想キーボードをオーバーレイしてもよい。これによって、入力処理部２０３は図４に示す画面を表示する。
【００３９】
図４を参照すると、入力処理部２０３は、チャットウィンドウ４００上にオーバーレイされたメッセージ入力ウィンドウ４１０をチャットウィンドウ４００の中段に移動させた後、メッセージ入力ウィンドウ４１０の下段のチャットウィンドウ４００上に仮想キーボード４２０をオーバーレイしてもよい。
【００４０】
ユーザは、仮想キーボード４２０をタッチすることによって、メッセージボックス４１３でチャットメッセージを作成する。
【００４１】
ここで、入力処理部２０３は仮想キーボード４２０をオーバーレイしながら、メッセージ入力ウィンドウ４１０で既存のキーボード入力を活性化するボタン（すなわち、３１２）を表示していた位置にエモーティコンの入力を活性化するボタン４１２を表示してもよい。すなわち、メッセージ入力ウィンドウ４１０は、キーボード入力を活性化するボタン３１２についてユーザのタッチジェスチャが発生することによって、エモーティコンの入力を活性化するボタン４１２を表示してもよい。
【００４２】
ユーザがエモーティコンの入力を活性化するボタン４１２について、タッチジェスチャを発生させた場合、入力処理部２０３はメッセージ入力ウィンドウ４１０の位置をチャットウィンドウ４００の中段に保持させ、メッセージ入力ウィンドウ４１０の下側のチャットウィンドウ４００上にエモーティコン選択ウィンドウをオーバーレイしてもよい。この場合、入力処理部２０３は図５に示す画面を表示する。
【００４３】
図５を参照すると、入力処理部２０３は、メッセージ入力ウィンドウ５１０の位置をチャットウィンドウ５００の中段に保持させ、メッセージ入力ウィンドウ５１０の下側のチャットウィンドウ５００上にエモーティコン選択ウィンドウ５２０をオーバーレイする。
【００４４】
さらに、入力処理部２０３はメッセージ入力ウィンドウ５１０で、エモーティコンの入力を活性化するボタン４１２に代えてキーボード入力を活性化するボタン５１２を表示する。すなわち、メッセージ入力ウィンドウ５１０は、エモーティコンの入力を活性化するボタン３１２についてユーザのタッチジェスチャが発生することによって、キーボード入力を活性化するボタン５１２を表示してもよい。
【００４５】
入力処理部２０３は、チャットウィンドウ５００上にエモーティコン選択ウィンドウ５２０をオーバーレイした後、複数の動的エモーティコンのサムネイルイメージのリストを表示する。これにより、ユーザはそのリストから１つのサムネイルイメージを選択してタッチしてもよい。
【００４６】
動的エモーティコン処理部２０４は、サムネイルイメージのうちユーザによって選択されたサムネイルイメージを識別し、メッセージ入力ウィンドウ５１０の上段のチャットウィンドウ５００上にそのサムネイルイメージを含むプレビューウィンドウ５３０をオーバーレイしてもよい。
【００４７】
特に、プレビューウィンドウ５３０は、半透明な色のバックグラウンド領域を含んでもよく、そのバックグラウンド領域を介してチャットウィンドウ５００の一部が透過される。また、動的エモーティコン処理部２０４は、プレビューウィンドウ５３０でユーザによって選択されたサムネイルイメージに対応する動的エモーティコンを自動再生させてもよい。ここで、再生される動的エモーティコンは、個々の再生時間を有するため、その再生時間が経過すれば、自動再生が終了される。
【００４８】
これによって、ユーザは移動端末の限定された画面空間でチャットウィンドウ上にオーバーレイされたプレビューウィンドウを介して自身が選択した動的エモーティコンを見ることができる。さらに、チャットウィンドウの一部がそのプレビューウィンドウの下側に透過されるため、ユーザは、チャットウィンドウのチャットメッセージとプレビューウィンドウの動的エモーティコンを同時に確認することができる。
【００４９】
その後、メッセージ入力ウィンドウ５１０において、送信ボタン５１４でユーザのタッチジェスチャが識別される場合、移動端末はプレビューウィンドウ５３０で再生した動的エモーティコンを用いてチャットメッセージを送信してもよい。そして、移動端末は図６に示す画面を表示する。
【００５０】
図６を参照すると、チャットウィンドウ６００は、ユーザ及びそのユーザの友だち間のチャットメッセージを確認することによって、特に、動的エモーティコンの挿入されたチャットメッセージ６１０が友だちに送信されていることを示す。
【００５１】
チャットメッセージ６１０は、その動的エモーティコンが実際に挿入されてもよいが、その動的エモーティコンの識別情報が代替に挿入されてもよい。すなわち、動的エモーティコンの識別情報がチャットメッセージに挿入されれば、受信側の移動端末はそのチャットメッセージに挿入された識別情報に基づいて予め格納された動的エモーティコンのうち、その識別情報に関連する動的エモーティコンを読み出して再生することができる。
【００５２】
他の実施形態として、受信側の移動端末は、予め格納された動的エモーティコンがないか足りない場合があり得る。この場合、受信側の移動端末は、そのチャットメッセージに挿入された識別情報の動的エモーティコンを通信網を介して接続されたメッセージサーバ（図示せず）からリアルタイムに提供されてもよい。
【００５３】
図７は、本発明の他の実施形態に係るインスタントメッセージングサービス提供方法を実行する移動端末の動作方法を示す図である。
【００５４】
図７を参照すると、移動端末は、複数の動的エモーティコン及び前記複数の動的エモーティコンのサムネイルイメージをメモリに格納する（Ｓ７００）。
【００５５】
移動端末は、チャットメッセージを含むチャットウィンドウ及びメッセージ入力ウィンドウを表示する（Ｓ７０１）。特に、移動端末は、チャットウィンドウを先に表示した後、そのチャットウィンドウの下段でチャットウィンドウ上にメッセージ入力ウィンドウをオーバーレイする。ここで、メッセージ入力ウィンドウは、キーボード入力を活性化させるボタンまたはエモーティコンの入力を活性化させるボタンのうち少なくとも１つを含んでもよい。
【００５６】
移動端末は、ユーザのタッチジェスチャに基づいて、メッセージ入力ウィンドウで、キーボード入力に関連するタッチが発生したか否かを判断する（Ｓ７０２）。
【００５７】
ステップＳ７０２の判断の結果、キーボード入力に関連するタッチが発生した場合、移動端末は、メッセージ入力ウィンドウの位置をチャットウィンドウの中段に移動させながら、メッセージ入力ウィンドウの下段のチャットウィンドウ上に仮想キーボードをオーバーレイする（Ｓ７０３）。
【００５８】
続いて移動端末は、エモーティコンの入力に関連するタッチが発生したか否かを判断する（Ｓ７０４）。
【００５９】
ステップＳ７０４の判断の結果、エモーティコンの入力に関連するタッチが発生した場合、移動端末は、メッセージ入力ウィンドウの位置をチャットウィンドウの中段に移動させるか、あるいは中段に保持させ、メッセージ入力ウィンドウの下段のチャットウィンドウ上にエモーティコン選択ウィンドウをオーバーレイする（Ｓ７０５）。
【００６０】
移動端末は、そのエモーティコン選択ウィンドウに複数のサムネイルイメージを表示し、ユーザによって選択されるサムネイルイメージを識別する（Ｓ７０６）。
【００６１】
ステップＳ７０６の識別の結果、ユーザによって選択された１つのサムネイルイメージが識別された場合、移動端末は、メッセージ入力ウィンドウ上段のチャットウィンドウ上に半透明な色のバックグラウンド領域の含まれたプレビューウィンドウをオーバーレイする（Ｓ７０７）。
【００６２】
移動端末は、ステップＳ７０６において識別されたサムネイルイメージの動的エモーティコンを自動再生する（Ｓ７０８）。すなわち、ユーザによって選択されたサムネイルの動的エモーティコンは、メッセージ入力ウィンドウ上段のチャットウィンドウ上で、半透明な色でチャットウィンドウの一部が透過されたバックグラウンド領域で再生される。したがって、ユーザは、メッセージ入力ウィンドウの上段でチャットウィンドウをベースとした自動再生される動的エモーティコンを、チャットメッセージ上に作成する前に予め確認でき、必要に応じて、その動的エモーティコンをチャットメッセージ上に作成することができる。
【００６３】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を格納して実行するように特別に構成されたハードウェア装置が含まれてもよい。プログラム命令の例としては、コンパイラによって生成されるような機械語コード（machine code）だけでなく、インタプリタなどを用いてコンピュータによって実行され得る高級言語コード（higher level code）を含む。上述したハードウェア装置は、本発明の動作を行うために１つ以上のソフトウェアのレイヤで動作するように構成されてもよい。
【００６４】
以上のように本発明を限定された実施形態と図面によって説明したが、本発明は、上記の実施形態に限定されることなく、本発明が属する分野における通常の知識を有する者であれば、このような実施形態から多様な修正及び変形が可能である。
【００６５】
したがって、本発明の範囲は、開示された実施形態に限定して定められるものではなく、特許請求の範囲及び特許請求の範囲と均等なものなどによって定められるものである。
【図１】
0005647208.tif 000002
【図２】
0005647208.tif 000003
【図３】
0005647208.tif 000004
【図４】
0005647208.tif 000005
【図５】
0005647208.tif 000006
【図６】
0005647208.tif 000007
【図７】
0005647208.tif 000008